(57)【要約】【課題】耐水性や耐候性にすぐれ、印字してある各種薬剤情報の目視、光学読み取りさらには無線によるデータ交信を保証可能とするとともに、とくに多岐かつ多量の薬剤情報を保存し、患者のリストバンドに表示あるいは保存されている患者情報と薬剤情報との照合確認ないしは整合確認を行うことを可能とする薬剤ラベルを提供すること。【解決手段】第１の被貼付け物に貼り付け可能な下層ラベル２への下層印字内容９と、第２の被貼付け物に貼り付け可能な上層ラベル３への上層印字内容１５とを同一とするとともに、下層ラベル２と上層ラベル３との間の中間フィルム層４の裏面、上層ラベル３の裏面、あるいは下層ラベル２の裏面、の少なくともいずれかひとつに、薬剤情報に関して無線でデータ交信可能なＲＦＩＤタグ６を設けたことを特徴とする。【選択図】図２
2010046361.tif 000002
【特許請求の範囲】
【請求項１】
薬剤に関する薬剤情報を下層印字内容として印字して第１の被貼付け物に貼り付け可能な下層ラベルと、
この下層ラベルから剥離可能にこの下層ラベルに積層しているとともに、前記薬剤に関する前記薬剤情報を上層印字内容として印字して第２の被貼付け物に貼り付け可能な上層ラベルと、を有する薬剤ラベルであって、
前記下層ラベルへの前記下層印字内容と、前記上層ラベルへの前記上層印字内容とを同一とするとともに、
前記下層ラベルと前記上層ラベルとの間に、中間フィルム層を設け、さらに、
この中間フィルム層の裏面、
前記上層ラベルの裏面、あるいは
前記下層ラベルの裏面、の少なくともいずれかひとつに、前記薬剤情報に関して無線でデータ交信可能なＲＦＩＤタグを設けたことを特徴とする薬剤ラベル。
【請求項２】
前記上層ラベルは、これを透明な材料から構成したことを特徴とする請求項１記載の薬剤ラベル。
【請求項３】
前記中間フィルム層は、これを透明な材料から構成したことを特徴とする請求項１記載の薬剤ラベル。
【発明の詳細な説明】
【技術分野】
【０００１】
本発明は薬剤ラベルにかかるもので、とくに医療分野などにおいて薬剤の管理のために使用される薬剤ラベルに関するものである。
【背景技術】
【０００２】
従来から、医療現場において、薬剤容器に容れられた薬剤は、注射器に移し替えられて患者に投与されたり、点滴の輸液容器に混注して使用されているが、これらの注射器や点滴の輸液容器には薬剤の名称の表記が行われておらず、薬剤師や看護師などの医療従事者が薬剤を注射器などに移し替えたのち、すぐに患者に投与すればよいが、所要で別の急用を処理せざるを得ない場合には、あとで薬剤を取り違えるなどの可能性を否定することができず、このような医療ミスを防止するために何らかの方策が要望されている。
【０００３】
この要望に応えて、薬剤容器に貼り付け可能であって薬剤情報を印字してある下層ラベルに上層ラベルを剥離可能に積層し、この上層ラベルに同様の薬剤情報を印字し、これを下層ラベルから剥離し、注射器や点滴の輸液容器に貼り付けるようにしたものがある（たとえば特許文献１）。この薬剤ラベルに表示された薬剤情報を目視により、あるいはビデオカメラなどの機械により読み取って、より確実な薬剤情報の管理を可能とする。
しかして、上層ラベルおよび下層ラベルには、薬剤情報の管理のために光学読み取り可能なバーコードや二次元コードが表示されている場合があるが、医療現場において上層ラベルや下層ラベルが液体さらには温度や湿度変化などにより変質して光学読み取りが困難になる可能性があるという問題もある。
また、上層ラベルにより隠されている下層ラベルの薬剤情報を上層ラベル側から確認することが困難であるという問題がある。
【０００４】
さらに、光学読み取り可能なバーコードや二次元コードでは、当該薬剤ラベルの大きさによっては記憶可能な薬剤情報の量に限りがあって、たとえば、薬剤ないし医療品の副作用や中毒症状ないしアレルギー情報などに関する薬剤情報は多岐かつ多量となる場合があり、当該下層ラベルおよび上層ラベルではその表示スペースに限界があるという問題がある。
したがって、たとえば病院などにおいて患者の手首や足首などに取り付けられているリストバンド（図示せず）に表示あるいは保存されている患者情報と、薬剤ラベル上に表示されている薬剤情報との照合確認ないしは整合確認を行うことが困難な場合があるという問題がある。
【０００５】
【特許文献１】特開２００２−１２６０４１号公報
【発明の開示】
【発明が解決しようとする課題】
【０００６】
本発明は以上のような諸問題にかんがみなされたもので、耐水性や耐候性にすぐれ、印字してある各種薬剤情報の目視、光学読み取りさらには無線によるデータ交信を保証可能とした薬剤ラベルを提供することを課題とする。
【０００７】
また本発明は、上層ラベルを下層ラベルからはがさなくても、下層ラベルの薬剤情報を上層ラベル側から確認することができるようにした薬剤ラベルを提供することを課題とする。
【０００８】
また本発明は、下層ラベルの耐水性および耐候性を確保し、下層ラベルおよび上層ラベルを貼り付ける被貼付け物を任意に選択して、下層ラベルに印字してある光学読み取り可能なコードやＩＣタグなどを保護可能である薬剤ラベルを提供することを課題とする。
【０００９】
また本発明は、とくに多岐かつ多量の薬剤情報を保存しておくことができる薬剤ラベルを提供することを課題とする。
【００１０】
また本発明は、患者などに取り付けられているリストバンドに表示あるいは保存されている患者情報と薬剤情報との照合確認ないしは整合確認を行うことを可能とする薬剤ラベルを提供することを課題とする。
【課題を解決するための手段】
【００１１】
すなわち本発明は、下層ラベルと上層ラベルとの間に中間フィルム層を設けること、および薬剤情報について無線によりデータ通信可能なＲＦＩＤタグ（ＩＣタグ）を取り付けること、さらに、所定のリーダーライターにより必要な薬剤情報をこのＲＦＩＤタグに書き込みかつ読み取り可能とすることに着目したもので、薬剤に関する薬剤情報を下層印字内容として印字して第１の被貼付け物に貼り付け可能な下層ラベルと、この下層ラベルから剥離可能にこの下層ラベルに積層しているとともに、上記薬剤に関する上記薬剤情報を上層印字内容として印字して第２の被貼付け物に貼り付け可能な上層ラベルと、を有する薬剤ラベルであって、上記下層ラベルへの上記下層印字内容と、上記上層ラベルへの上記上層印字内容とを同一とするとともに、上記下層ラベルと上記上層ラベルとの間に、中間フィルム層を設け、さらに、この中間フィルム層の裏面、上記上層ラベルの裏面、あるいは上記下層ラベルの裏面、の少なくともいずれかひとつに、上記薬剤情報に関して無線でデータ交信可能なＲＦＩＤタグを設けたことを特徴とする薬剤ラベルである。
【００１２】
上記上層ラベルは、これを透明な材料から構成することができる。
【００１３】
上記中間フィルム層は、これを透明な材料から構成することができる。
【発明の効果】
【００１４】
本発明による薬剤ラベルにおいては、下層ラベルと上層ラベルとの間に中間フィルム層を設けるようにしたので、この中間フィルム層の耐水性および耐候性により下層ラベルの下層印字内容を保護可能であり、光学読み取り可能なバーコードや二次元コード、さらにＲＦＩＤタグの保存データを液体や温度および湿度から保護し、光学読み取りや無線によるデータ交信に支障がないようにすることができる。
さらに、中間フィルム層の裏面、上層ラベルの裏面、あるいは下層ラベルの裏面、の少なくともいずれかひとつに、ＲＦＩＤタグを設けたので、薬剤情報に関して無線でデータ交信を可能とし、必要な量の薬剤情報を保存し、適宜この薬剤情報をリーダーライターにより読み取って照合確認作業を行うことができるとともに、中間フィルム層あるいは下層ラベルの裏面にＲＦＩＤタグを取り付けた構成では、このＲＦＩＤタグを液体や温度および湿度から保護し、無線によりデータ交信に支障がないようにすることができる。
また、下層ラベルあるいは上層ラベルを貼り付ける対象である第１の被貼付け物あるいは第２の貼付け物について、中間フィルム層に保護された下層ラベルを光学読み取りが必要な方、あるいはＲＦＩＤタグによるデータ交信が必要な方に貼り付けるように選択可能である。
【発明を実施するための最良の形態】
【００１５】
本発明は、同一の印字内容を有する下層ラベルと上層ラベルとの間に中間フィルム層を設けるとともに、少なくともいずれかの層にＲＦＩＤタグを取り付けたので、光学読み取りおよび無線データ交信を保証し、薬剤情報の量にかかわらず、その管理を安定して確実かつ円滑に行うようにすることができる薬剤ラベルを実現した。
【実施例】
【００１６】
つぎに本発明の実施例による薬剤ラベルを図１ないし図３にもとづき説明する。
図１は、薬剤ラベル１の分離平面図、図２は、図１のＩＩ−ＩＩ線部分における薬剤ラベル１の分解断面図であって、薬剤ラベル１は、下層ラベル２と、上層ラベル３と、中間フィルム層４と、台紙５と、ＲＦＩＤタグ６と、を有する。
なお、図１では、下層ラベル２および上層ラベル３（中間フィルム層４）を分離して平面方向で横にずらして描いてあり、図２では、下層ラベル２、上層ラベル３、中間フィルム層４および台紙５を積層方向で分解した状態で描いてある。
【００１７】
下層ラベル２は、患者情報および薬剤情報を記入するためのカルテ２３（第１の被貼付け物、図３）に貼り付け可能であって、下層ラベル基材７と、第１の粘着剤層８と、を有する。
下層ラベル基材７は、上質紙あるいは合成樹脂材など任意の材料からこれを構成しており、所定の薬剤情報をその印字内容として（下層印字内容９）表示している。下層印字内容９には、薬剤の名称１０やロットナンバー１１はもとより、光学読み取り可能な二次元コード１２その他を含んでいる。
第１の粘着剤層８には台紙５を仮着してあって、使用にあたっては、この台紙５をはがす。
【００１８】
上層ラベル３は、上層ラベル基材１３と、第２の粘着剤層１４と、を有する。
上層ラベル基材１３は、任意の透明な材料からこれを構成するとともに、下層ラベル２への印字内容（下層印字内容９）と同一内容（上層印字内容１５）を厚さ方向ないし積層方向で同一部位に印字可能としている。
第２の粘着剤層１４としては、透明な材料少なくとも無色透明に近い粘着剤を利用する。
【００１９】
中間フィルム層４は、たとえばシリコンポリプロピレンなどによる透明なフィルム基材１６と、その表面側の剥離剤層１７と、その裏面側の第３の粘着剤層１８と、を有し、下層ラベル２と上層ラベル３との間において、下層ラベル２に接着状態であるとともに、上層ラベル３を剥離可能としている。
【００２０】
なお、上層ラベル３の任意の隅部に剥離用つまみ部１９を形成し、その裏面側に糊殺し印刷２０を行って、上層ラベル３を中間フィルム層４から剥離しやすくしている。
これらの剥離用つまみ部１９および糊殺し印刷２０は、これを上層ラベル３の四隅に形成することもできる。
【００２１】
かくして、上層ラベル３は、中間フィルム層４を介して下層ラベル２から剥離可能に下層ラベル２に積層しているとともに、下層ラベル２とともに、薬剤に関連する第１の被貼付け物あるいは第２の被貼付け物のいずれかに、すなわち、後述するカルテ２３や点滴の輸液容器２４などに貼り付け可能となっている。
【００２２】
ＲＦＩＤタグ６は、ＩＣチップ２１およびアンテナ２２を有し、ＩＣチップ２１に患者情報および薬剤情報を保存可能であるとともに、アンテナ２２を介して所定のリーダーライター（図示せず）との間で、これら患者情報および薬剤情報に関して無線でデータ交信可能である。
ＲＦＩＤタグ６を設ける部位としては、図示の例では上層ラベル３および中間フィルム層４との間（上層ラベル３の裏面）を例示しているが、当該薬剤ラベル１の利用形態に応じて、中間フィルム層４の裏面、あるいは下層ラベル２の裏面などでもよく、少なくともいずれかの層２、３、４の裏面のひとつにＲＦＩＤタグ６を設けることができるもので、複数の層、たとえば下層ラベル２あるいは中間フィルム層４と、上層ラベル３と、に設けることも可能である。
【００２３】
こうした構成の薬剤ラベル１の使用形態を説明する。
図３は、薬剤ラベル１の使用形態の一例を示す説明図であって、カルテ２３（第１の被貼付け物）に薬剤ラベル１を貼り付けるとともに、下層ラベル２（中間フィルム層４）から上層ラベル３を剥離し、これをたとえば点滴の輸液容器２４（第２の被貼付け物）に貼り付けて、以後の薬剤情報の管理に役立てることができる。
たとえば、上層ラベル３の薬剤の名称１０やロットナンバー１１を目視により確認することにより、あるいは二次元コード１２などを所定のリーダー（図示せず）により読み取ることによって、薬剤情報の確認が可能であるとともに、ＲＦＩＤタグ６（ＩＣチップ２１）に保存してある患者情報および薬剤情報をリーダーライターにより読み取って、必要な医療行為を間違いなく実行可能である。
【００２４】
下層ラベル２には中間フィルム層４を被覆してあるので、カルテ２３が液体などに接触しても下層ラベル２上の下層印字内容９やＲＦＩＤタグ６を保護可能であり、その二次元コード１２などの光学読み取りおよびＲＦＩＤタグ６との間のデータ交信を保証することができる。
もちろん、中間フィルム層４付きの下層ラベル２の第１の被貼付け物として、医療作業に応じて、点滴の輸液容器２４あるいは注射器（図示せず）など、耐水性および耐候性などに問題がある可能性がある対象物を選択することもできる。その場合に上層ラベル３は、光学読み取り操作が不要な他の第２の被貼付け物にこれを貼り付ければよい。
【００２５】
また、上層ラベル３を下層ラベル２から剥離する前に、上層ラベル３および中間フィルム層４を通して下層ラベル２の部分を透視可能であって、それぞれの下層印字内容９および上層印字内容１５が重なり合っていれば、同一薬剤情報が印字されていることを確認することができる。
さらに、点滴の輸液容器２４に、カルテ２３と同一薬剤情報が表示されているとともに、ＲＦＩＤタグ６には容量の比較的大きな患者情報および薬剤情報その他必要な情報が保存されているので、医療の現場における薬剤の誤使用を確実に防止可能であるとともに、薬剤ラベル１の使用形態に応じて、さらには医療行為に応じて薬剤情報の管理を適切に行うことができる。
【図面の簡単な説明】
【００２６】
【図１】本発明の薬剤ラベル１の分離平面図である。
【図２】同、図１のＩＩ−ＩＩ線部分における薬剤ラベル１の分解断面図である。
【図３】同、薬剤ラベル１の使用形態の一例を示す説明図である。
【符号の説明】
【００２７】
１  薬剤ラベル（実施例、図１）
２  下層ラベル
３  上層ラベル
４  中間フィルム層
５  台紙
６  ＲＦＩＤタグ
７  下層ラベル基材
８  第１の粘着剤層
９  下層印字内容
１０  薬剤の名称
１１  ロットナンバー
１２  光学読み取り可能な二次元コード
１３  上層ラベル基材
１４  第２の粘着剤層
１５  上層印字内容
１６  透明なフィルム基材
１７  剥離剤層
１８  第３の粘着剤層
１９  剥離用つまみ部
２０  糊殺し印刷
２１  ＲＦＩＤタグ６のＩＣチップ
２２  ＲＦＩＤタグ６のアンテナ
２３  薬剤容器（第１の被貼付け物、図３）
２４  点滴の輸液容器（第２の被貼付け物）
【図１】
2010046361.tif 000003
【図２】
2010046361.tif 000004
【図３】
2010046361.tif 000005